(57)【要約】【課題】メモなどの付加データをオリジナルデータとは別個にサーバ側で保存し、著作権の保護を図りつつ、オリジナルデータに対して自由にメモなどを残したり、多様な情報端末で自由に参照できるようにする。【解決手段】  サービス提供サーバでは、会員の情報端末から要求があると、該当するコンテンツのオリジナルデータをコンテンツデータベースから読み出して送信するとともに、対応する付加データを付加情報データベースから読み出して送信する。情報端末は、受信した前記オリジナルデータ及びその付加データをそれぞれバッファ手段に格納するとともに、オリジナルデータ及びその付加データを同期して重畳出力する。また、情報端末側で付加等が行われたメモなどの付加データは、前記サービス提供サーバに送信されて、前記付加情報データベースに格納される。【選択図】図１
2014126953.tif 000002
【特許請求の範囲】
【請求項１】
Webサイトから情報端末にコンテンツを提供するネットワークにサービス提供サーバが接続されており、
前記サービス提供サーバは、
付加データを集積した付加データ用データベース，
会員データを集積した会員データ用データベース，
前記Webサイトとコンテンツとの対応関係を示す管理データ用データベース，
前記各データベースにおける情報の読み出し，書き込みの管理を行う情報管理手段，
を備えており、
前記情報管理手段は、
前記会員の情報端末から要求があったときは、前記管理データ用データベースを参照して、該当するWebサイトに該当するコンテンツのオリジナルデータの送信を要求するとともに、対応する付加データを前記付加データ用データベースから読み出して送信し、前記会員の情報端末から付加データを受信したときは、それを前記付加データ用データベースに保存し、
前記情報端末は、
前記Webサイトから受信した前記オリジナルデータ及び前記サービス提供サーバから受信した前記付加データを、会員の要求に対応して出力するとともに、付加データに何らかの処理が施されたときは、該処理後の付加データを表示するとともに、前記サービス提供サーバに送信するコンテンツ処理手段，
を備えたことを特徴とするコンテンツ提供システム。
【請求項２】
Webサイトから情報端末にコンテンツを提供するネットワークにサービス提供サーバが接続されており、
前記サービス提供サーバは、
付加データを集積した付加データ用データベース，
会員データを集積した会員データ用データベース，
前記Webサイトとコンテンツとの対応関係を示す管理データ用データベース，
前記各データベースにおける情報の読み出し，書き込みの管理を行う情報管理手段，
前記情報端末からの要求に基づいて、対応する付加データを生成する付加データ生成手段，
を備えており、
前記情報管理手段は、
前記会員の情報端末から要求があったときは、前記管理データ用データベースを参照して、該当するWebサイトに該当するコンテンツのオリジナルデータの送信を要求するとともに、対応する付加データを前記付加データ用データベースから読み出すか、もしくは前記付加データ生成手段で生成して送信し、前記会員の情報端末から付加データを受信したときは、それを前記付加データ用データベースに保存し、
前記情報端末は、
前記Webサイトから受信した前記オリジナルデータ及び前記サービス提供サーバから受信した前記付加データを、会員の要求に対応して出力するとともに、付加データに何らかの処理が施されたときは、該処理後の付加データを表示するとともに、前記サービス提供サーバに送信し、会員が付加データの生成を要求したときは、その旨を前記サービス提供サーバに通知するコンテンツ処理手段，
を備えたことを特徴とするコンテンツ提供システム。
【請求項３】
請求項１記載のコンテンツ提供システムに含まれるサービス提供サーバであって、
付加データを集積した付加データ用データベース，
会員データを集積した会員データ用データベース，
前記Webサイトとコンテンツとの対応関係を示す管理データ用データベース，
前記各データベースにおける情報の読み出し，書き込みの管理を行う情報管理手段，
を備えており、
前記情報管理手段は、
前記会員の情報端末から要求があったときは、前記管理データ用データベースを参照して、該当するWebサイトに該当するコンテンツのオリジナルデータの送信を要求するとともに、対応する付加データを前記付加データ用データベースから読み出して送信し、前記会員の情報端末から付加データを受信したときは、それを前記付加データ用データベースに保存することを特徴とするサービス提供サーバ。
【請求項４】
請求項２記載のコンテンツ提供システムに含まれるサービス提供サーバであって、
付加データを集積した付加データ用データベース，
会員データを集積した会員データ用データベース，
前記Webサイトとコンテンツとの対応関係を示す管理データ用データベース，
前記各データベースにおける情報の読み出し，書き込みの管理を行う情報管理手段，
前記情報端末からの要求に基づいて、対応する付加データを生成する付加データ生成手段，
を備えており、
前記情報管理手段は、
前記会員の情報端末から要求があったときは、前記管理データ用データベースを参照して、該当するWebサイトに該当するコンテンツのオリジナルデータの送信を要求するとともに、対応する付加データを前記付加データ用データベースから読み出すか、もしくは前記付加データ生成手段で生成して送信し、前記会員の情報端末から付加データを受信したときは、それを前記付加データ用データベースに保存することを特徴とするサービス提供サーバ。
【請求項５】
請求項１記載のコンテンツ提供システムに含まれる情報端末であって、
前記Webサイトから受信した前記オリジナルデータ及び前記サービス提供サーバから受信した前記付加データを、会員の要求に対応して出力するとともに、付加データに何らかの処理が施されたときは、該処理後の付加データを表示するとともに、前記サービス提供サーバに送信するコンテンツ処理手段，
を備えたことを特徴とする情報端末。
【請求項６】
請求項２記載のコンテンツ提供システムに含まれる情報端末であって、
前記Webサイトから受信した前記オリジナルデータ及び前記サービス提供サーバから受信した前記付加データを、会員の要求に対応して出力するとともに、付加データに何らかの処理が施されたときは、該処理後の付加データを表示するとともに、前記サービス提供サーバに送信し、会員が付加データの生成を要求したときは、その旨を前記サービス提供サーバに通知するコンテンツ処理手段，
を備えたことを特徴とする情報端末。
【請求項７】
会員が付加データの生成を要求する際に、付加データ生成の対象となるオリジナルデータの範囲を会員が指定することを特徴とする請求項６記載の情報端末。
【請求項８】
前記Webサイトから受信したオリジナルデータを格納する第１のバッファ手段，
前記サービス提供サーバから受信した付加データを格納する第２のバッファ手段，
を備えており、
前記コンテンツ処理手段は、
前記第１及び第２のバッファ手段に格納されたオリジナルデータ及びその付加データを同期して重畳出力するとともに、
会員によって何らかの処理が付加データに施されたときは、前記第２のバッファ手段に格納されている付加データを変更するとともに、変更後の付加データを前記サービス提供サーバに送信することを特徴とする請求項５〜７のいずれか一項に記載の情報端末。
【請求項９】
前記情報端末が携帯端末であり、アプリケーションソフトウエアによって前記コンテンツ処理手段の動作を行うことを特徴とする請求項５〜８のいずれか一項に記載の情報端末。
【請求項１０】
請求項５〜８のいずれか一項に記載の情報端末で実行され、前記コンテンツ処理手段として機能することを特徴とするアプリケーションプログラム。
【発明の詳細な説明】
【技術分野】
【０００１】
本発明は、コンテンツ提供システム，サービス提供サーバ，情報端末，アプリケーションプログラムに関し、例えば、電子書籍に対する書込みなどの画像の合成やＢＧＭ（background music）の挿入などの音声の合成，あるいはコンテンツの音読などの処理を、ネットワーク上の各種のコンテンツに対して行う場合に好適なコンテンツ提供システム，サービス提供サーバ，情報端末，アプリケーションプログラムに関する。
【背景技術】
【０００２】
近年は、インターネット回線が光ファイバ等によって高速化されており、各種のコンテンツの配信が可能となっている。一方、スマートホンや電子書籍端末などの携帯情報端末も急速に普及している。
【０００３】
ところで、インターネット上で提供されている各種のコンテンツの多くは、著作権等の理由により改変が禁止されている場合がほとんどであり、また、改変ができないようなファイル構造となっている場合もある。しかし、コンテンツを利用する側としては、メモを付加したり、アンダーラインを引いたり、といった各種の情報をコンテンツに付加したいといった希望がある。例えば、下記特許文献１には、文中に線を引いたり、メモや落書き等の書き込みができるようにすることを目的とした電子書籍装置が開示されている。
【先行技術文献】
【特許文献】
【０００４】
【特許文献１】特開2005-141488号公報
【発明の概要】
【発明が解決しようとする課題】
【０００５】
しかしながら、情報端末で入力したメモなどの情報をその端末で保存する場合、他の情報端末でその内容を見ることができない。例えば、外出時にスマートホンで電子書籍を閲覧したときのメモなどの情報を自宅のパソコンで見ることができず、利便性に欠ける。しかも、オリジナルのデータにメモなどを付加することは、著作権を尊重する観点から好ましくない。更に、付加データを他の利用者と共有したい（提供したい）といった要望もある。更に、通勤時に電子書籍の音読を行って聞くことができれば、情報端末の画面を見る必要がなく、大変便利である。
【０００６】
本発明は、以上のような点に着目したもので、その目的は、インターネット上で提供されている各種コンテンツに対する付加データを管理する手間を低減し、利便性の向上を図ることである。他の目的は、付加データの他の利用者との共有を簡便に行うことである。更に他の目的は、音声変換を行ってコンテンツを聞くなどの各種の処理を端末側に負担を掛けることなく精度よく行うことである。
【課題を解決するための手段】
【０００７】
本発明は、Webサイトから情報端末にコンテンツを提供するネットワークにサービス提供サーバが接続されており、前記サービス提供サーバは、付加データを集積した付加データ用データベース，会員データを集積した会員データ用データベース，前記Webサイトとコンテンツとの対応関係を示す管理データ用データベース，前記各データベースにおける情報の読み出し，書き込みの管理を行う情報管理手段，を備えており、前記情報管理手段は、前記会員の情報端末から要求があったときは、前記管理データ用データベースを参照して、該当するWebサイトに該当するコンテンツのオリジナルデータの送信を要求するとともに、対応する付加データを前記付加データ用データベースから読み出して送信し、前記会員の情報端末から付加データを受信したときは、それを前記付加データ用データベースに保存し、前記情報端末は、前記Webサイトから受信した前記オリジナルデータ及び前記サービス提供サーバから受信した前記付加データを、会員の要求に対応して出力するとともに、付加データに何らかの処理が施されたときは、該処理後の付加データを表示するとともに、前記サービス提供サーバに送信するコンテンツ処理手段，を備えたことを特徴とする。
【０００８】
他の発明は、Webサイトから情報端末にコンテンツを提供するネットワークにサービス提供サーバが接続されており、前記サービス提供サーバは、付加データを集積した付加データ用データベース，会員データを集積した会員データ用データベース，前記Webサイトとコンテンツとの対応関係を示す管理データ用データベース，前記各データベースにおける情報の読み出し，書き込みの管理を行う情報管理手段，前記情報端末からの要求に基づいて、対応する付加データを生成する付加データ生成手段，を備えており、前記情報管理手段は、前記会員の情報端末から要求があったときは、前記管理データ用データベースを参照して、該当するWebサイトに該当するコンテンツのオリジナルデータの送信を要求するとともに、対応する付加データを前記付加データ用データベースから読み出すか、もしくは前記付加データ生成手段で生成して送信し、前記会員の情報端末から付加データを受信したときは、それを前記付加データ用データベースに保存し、前記情報端末は、前記Webサイトから受信した前記オリジナルデータ及び前記サービス提供サーバから受信した前記付加データを、会員の要求に対応して出力するとともに、付加データに何らかの処理が施されたときは、該処理後の付加データを表示するとともに、前記サービス提供サーバに送信し、会員が付加データの生成を要求したときは、その旨を前記サービス提供サーバに通知するコンテンツ処理手段，を備えたことを特徴とする。本発明の前記及び他の目的，特徴，利点は、以下の詳細な説明及び添付図面から明瞭になろう。
【発明の効果】
【０００９】
本発明によれば、メモなどの付加データがオリジナルデータとは別個にサーバ側で保存されるため、著作権の保護を図りつつ、オリジナルデータに対して自由にメモなどを残すことができ、サーバ側で付加データが管理されるため、多様な情報端末で付加データを参照することができ、利便性が向上する。更に、サーバ側で音声変換や翻訳などの処理を行うため、端末側に負担を掛けることなく、精度のよい処理が可能となる。
【図面の簡単な説明】
【００１０】
【図１】本発明の実施例１の全体構成を示すブロック図である。
【図２】会員メニューの一例を示す図である。
【図３】オリジナルデータと付加データの一例を示す図である。
【図４】前記実施例１の全体動作を示す図である。
【図５】付加データのデータ配列の一例を示す図である。
【図６】本発明の実施例２の全体構成を示すブロック図である。
【図７】(A)は実施例２の主要動作を示す図、(B)は実施例３の主要動作を示す図である。
【図８】本発明の実施例２のオリジナルデータと音声出力範囲表示データの一例を示す図である。
【発明を実施するための形態】
【００１１】
以下、本発明を実施するための形態を、実施例に基づいて詳細に説明する。
【実施例１】
【００１２】
図１には、本発明の実施例１の構成が示されている。同図において、本実施例のコンテンツ提供システム１００は、インターネット１０２に接続されたセンタサーバであるサービス提供サーバ２００を中心に構成されている。インターネット１０２には、各種Webサイト１０４や、スマートホン，パソコン，タブレット端末，電子書籍端末などの情報端末３００が多数接続されている。ＩＰ電話機３０２も接続されている。
【００１３】
利用者が情報端末３００から所望のコンテンツを要求したとすると、それがインターネット１０２を介してサービス提供サーバ２００に通知される。サービス提供サーバ２００は、該通知に基づいて、該当するコンテンツを有するWebサイト１０４にコンテンツの送信を要求し、Webサイト１０４は、該当するコンテンツのデータを、要求があった情報端末３００に送信する。コンテンツによっては、サービス提供サーバ２００に蓄積されているものもあり、サービス提供サーバ２００から情報端末３００に提供される。サービス提供サーバ２００も、Webサイト１０４の一つであると考えることができる。提供されたコンテンツは、情報端末３００で画像表示したり、音声出力される。このような基本的なコンテンツ配信の仕組みは公知である。
【００１４】
次に、サービス提供サーバ２００について説明する。サービス提供サーバ２００は、オリジナルのコンテンツが格納されたコンテンツ用データベース２０２，利用者が付加したメモなどの付加データが格納された付加データ用データベース２０４，本サービスを受けることができる会員データが格納された会員データ用データベース２０６，Webサーバ１０４とコンテンツの関係を示す管理データが格納された管理データ用データベース２０８を備えている。これらのデータベース２０２，２０４，２０６，２０８におけるデータの入出力，追加，変更等の管理は、情報管理部２１０によって行われるようになっている。情報管理部２１０には、情報端末３００におけるメニュー画面の生成を行うメニュー画面生成部２２０が接続されている。また、インターネット１０２との間におけるデータ送受信を行うための送受信部２３０も接続されている。
【００１５】
これらのうち、コンテンツ用データベース２０２は、映画，テレビドラマ，電子書籍，ゲーム，ニュース，スポーツ，音楽などの各種のオリジナルコンテンツデータを集積したものである。各コンテンツにはコードが付されている。オリジナルコンテンツは、多くがWebサイト１０４に存在するが、特に本サービスを受ける会員のための独自のコンテンツなどが、コンテンツ用データベース２０２に集積される。
【００１６】
付加データ用データベース２０４は、会員がコンテンツに付加したメモなどの付加データを、該当する会員を表す会員コード，該当するコンテンツを表すコンテンツコード，該当するコンテンツ上の位置（ページ）とともに集積したものである。付加データとしては、
ａ，電子書籍などにおけるメモ，マーキング，アンダーライン，栞，付箋
ｂ，映画などの字幕
ｃ，新聞の切り抜きや画像の切り取りに関する情報
ｄ，画像表示や音声通話におけるＢＧＭ
ｅ，コンテンツ音読用の変換音声データ
など、オリジナルデータに付加される各種の情報が含まれる。
【００１７】
会員データ用データベース２０６は、本実施例のサービスを受けることができる会員として登録された利用者の会員コード（ＩＤ），氏名，住所等の会員データを集積したものである。管理データ用データベース２０８は、Webサイト１０４にあるコンテンツを管理するためのもので、Webサイト１０４と、そのサイトにあるコンテンツとの対応関係を示す管理データが集積されている。
【００１８】
次に、情報端末３００について説明すると、各会員には、本サービスを受けるためのコンテンツ処理用アプリケーションソフトウエア（以下「コンテンツ処理アプリ」という）３１０が提供される。コンテンツ処理アプリ３１０は、パソコン，スマートホン，電子書籍端末等の情報端末３００に応じて提供され、会員は、自分が所有する情報端末３００に予めインストールする。このコンテンツ処理アプリ３１０を情報端末３００で実行し、ＩＤやパスワードによって会員であることが認証されると、最初にメニュー画面が表示されるが、この画面は、サービス提供サーバ２００のメニュー画面生成部２２０で会員ごとに生成されて、該当する会員の情報端末３００に提供されるようになっている。
【００１９】
図２(A)には、メニュー画面の一例が示されている。図示の例では、「読書」，「音楽」，「映画」，「ニュース」，「スポーツ」，「ＴＶ」，「ラジオ」，「電話」，「メール」，・・・といったメニューが用意されている。メニューは、会員データ用データベース２０６を参照して会員ごとに生成され、大きな分類項目から各コンテンツに至る階層構造となっている。例えば、会員が「読書」を選択したとすると、当該会員が購入した電子書籍の一覧が表示されるという具合である。これらの会員認証方法やメニュー表示は、一般的な公知の手法である。
【００２０】
次に、図１に戻って、上述したコンテンツ処理アプリ３１０は、ＣＰＵなどのプロセッサ（図示せず）によって実行され、出力データ処理部３１２，入力データ処理部３１４として機能する。出力データ処理部３１２の入力側には、送受信部３２０で受信したオリジナルデータを格納するオリジナルデータバッファ３２２と、送受信部３２０で受信した付加データを格納する付加データバッファ３２４が接続されている。また、出力データ処理部３１２の出力側には、画像及び音声の出力部３３０が接続されている。出力部３３０は、例えば、液晶パネルなどによるディスプレイ装置によって画像を表示し、スピーカやレシーバによって音声を出力する。出力データ処理部３１２は、オリジナルデータバッファ３２２に格納されているオリジナルデータと、付加データバッファ３２４に格納されている付加データとを、同期ないし対応させて取り込み、それらを重畳ないし合成して出力する機能を備えている。
【００２１】
一方、入力データ処理部３１４の入力側には、画像及び音声の入力部３３２が接続されている。入力部３３２は、例えばタッチパネルやキーボードなどで画像の入力を行い、マイクロホンで音声の入力を行う。入力データ処理部３１４は、入力部３３２での入力に応じて、サービス提供サーバ２００に各種の処理を要求したり、付加データバッファ３２４の付加データを変更するなどの機能を備えている。付加データバッファ３２４の付加データの変更の態様としては、
ａ，付加データが全くないオリジナルデータに対して、付加データを新規に付加する場合，
ｂ，既に何らかの付加データがあるオリジナルデータに、付加データを更に追加する場合，
ｃ，既に何らかの付加データがあるオリジナルデータにおいて、付加データを削除する場合，
ｄ，既に何らかの付加データがあるオリジナルデータにおいて、付加データを削除するとともに、新たな付加データを追加する場合，
ｅ，既に何らかの付加データがあるオリジナルデータにおいて、付加データを追加したものの、その後削除する場合，
などの多様な形態が想定される。
【００２２】
入力データ処理部３１４の出力側は、前記出力データ処理部３１２及び送受信部３２０に接続されている。入力データ処理部３１４により、付加データバッファ３２４の付加データが変更されることで、会員が入力したメモなどの付加データが画面上に表示されるようになる。なお、コンテンツ処理アプリ３１０による処理以外のデータの送受信や入出力は、公知の方法で行われ、いずれも図示していない。
【００２３】
図３には、オリジナルデータと付加データの一例が示されている。同図(A)は、オリジナルデータの例で、古今集にある藤原興風の和歌である。同図(B)は、オリジナルデータに付加データを付加した状態を示すもので、付加データＦ１０は「興風」の読み仮名「おきかぜ」，付加データＦ１２は「恋」の読み仮名「こ」，付加データＦ１４は「みをつくし」の漢字表記「澪標」などとなっている。付加データＦ２０は、当該ページを読書中におけるメモ書きで、「１２月２４日の午後６時に渋谷ハチ公前で待ち合わせる」といった内容を示す。付加データは、このような必ずしもコンテンツと関係しない内容であってもよい。同図(C)は、付加データのみを示すもので、同図(B)から同図(A)のオリジナルデータを除いたものである。
【００２４】
次に、上記実施例の全体の動作について、図４及び図５も参照しながら説明する。会員が情報端末３００においてコンテンツ処理アプリ３１０を選択すると、その旨が送受信部３２０及びインターネット１０２を通じて、サービス提供サーバ２００の送受信部２３０で受信され、情報管理部２１０に送られる。情報管理部２１０は、会員データ用データベース２０６を参照し、会員ＩＤやパスワードを確認して、メニュー画面生成部２２０で生成したメニュー画面のデータを情報端末３００に送信する。これにより、情報端末３００の表示画面に、図２(A)に示したメニュー画面が表示される。
【００２５】
ここで、会員が、何らかのコンテンツを要求したとする（図４，ステップＳ１０）。例えば「読書」のメニューを選択し、更に「古今集」を選択したとすると、その旨が入力データ処理部３１４を介してサービス提供サーバ２００に通知される。すると、サービス提供サーバ２００では、情報管理部２１０が管理データ用データベース２０８を参照して、該当するコンテンツを有するWebサイト１０４を調べ、該当するWebサイト１０４にオリジナルデータの送信を要求する（ステップＳ１２）。この要求に応じて、Webサイト１０４は、該当するオリジナルデータを情報端末３００に送信する（ステップＳ１４）。なお、オリジナルデータがサービス提供サーバ２００のオリジナルデータ用データベース２０２にあるときは、情報管理部２１０によって読み出され、送受信部２３０から情報端末３００に送信される。
【００２６】
加えて、サービス提供サーバ２００では、情報管理部２１０によって付加データ用データベース２０４が参照され、前記コンテンツに対応する付加データがあるときは、付加データ用データベース２０４から該当する付加データを抽出して、情報端末３００に送信する（ステップＳ１６）。情報端末３００は、受信したコンテンツのオリジナルデータをオリジナルデータバッファ３２２に格納し、付加データを付加データバッファ３２４に格納する。
【００２７】
次に、出力データ処理部３１２は、オリジナルデータバッファ３２２からコンテンツを読み出すとともに、付加データバッファ３２４から対応する付加データを同期して読み出し、出力部３２０に出力・表示する（ステップＳ１８）。例えば、図３(A)のオリジナルデータの読み出しと、同図(C)の付加データを同期して読み出して、同図(B)のように重畳して画面表示するといった具合である。このようにして、電子書籍のオリジナルデータと、メモなどの付加データが画面上に同時に表示されるようになる。
【００２８】
次に、会員が入力部３３２でメモの付加・修正等を行ったとすると、入力データ処理部３１４が入力内容に応じて付加データバッファ３２４の付加データを変更する（ステップＳ２０）。更新後の付加データは、出力データ処理部３１２によって出力部３３０に出力され、画面上に表示される。
【００２９】
以上の動作を繰り返し行い、会員が読書を終了すると、入力データ処理部３１４では、出力部３３０に付加データを保存するかどうかの選択画面を表示する。ここで、会員が保存を選択したとすると（ステップＳ２２のYes）、入力データ処理部３１４は、読書中に会員が付加，削除等の処理を施した処理後の付加データを付加データバッファ３２４から読み出し、会員コード，コンテンツコード，該当するページ等のデータとともにサービス提供サーバ２００に送信する（ステップＳ２４）。サービス提供サーバ２００では、情報管理部２１０によって、付加データ用データベース２０４に受信した付加データが保存される（ステップＳ２８）。以前の付加データがあるときは、その更新ないし書換えが行われる。なお、会員が付加データの保存を選択しないときは（ステップＳ２２のNo）、付加データバッファ３２４の保存データは破棄される（ステップＳ３０）。
【００３０】
図５には、付加データ用データベース２０４に保存されるデータ配列の一例が示されている。同図(A)の例は、利用者である会員を示す会員コード，付加データのＩＤであるデータコード，該当するコンテンツを示すコンテンツコード，付加データが付加されるページを示す付加ページとその付加データ，公開の有無を示すデータによって構成されている。例えば、同図(B)に示すように、コンテンツデータのページＰ１０，Ｐ１２，Ｐ５４に、付加データＦＤ１０，ＦＤ１２，ＦＤ５４があるような場合、前記付加ページとその付加データの組み合わせは３つとなる。一方、コンテンツデータの表示とともにＢＧＭを流す，背景画像を表示するといったような場合は、同図(C)に示すように、付加ページＰ１００と付加データＦＤ１００との組み合わせという具合となる。付加データは、このような構造として付加データ用データベース２０４に格納される。格納された付加データは、上述したように、該当するコンテンツの該当するページの再生時に同期して、会員の情報端末３００に出力される。
【００３１】
ところで、本実施例では、付加データが会員の情報端末３００ではなく、サービス提供サーバ２００に保存されており、また、付加データ毎に公開の有無を設定することができるようになっている。すなわち、会員が自己の付加データの公開を許可したときは、他の会員がその付加データを参照することができるようになっている。このような機能を利用することで、当該コンテンツの異なる楽しみ方ができるようになる。例えば、
ａ，例えば、オリジナルデータに対する注釈が付加データとして複数あるときに、それらを比較してみる。
ｂ，オリジナルデータに対する外国語の翻訳が複数あるときに、それらを選択的に参照する。
ｃ，オリジナルデータに対するＢＧＭが複数あるときに、それらを聴き比べてみる。
といった具合である。
【００３２】
以上のように、本実施例によれば、次のような利点がある。
ａ，会員がオリジナルデータに付加したメモなどの付加データは、オリジナルデータとは別個にサーバ側に保存されるので、オリジナルデータの改変が行われず、著作者の権利が保護される。いわば、オリジナルデータである表のファイルに対して、付加データは影のファイル（シャドウファイル）として機能し、オリジナルデータに影響しない。
ｂ，会員は、いずれの情報端末であっても、付加データを参照し、追加することができ、オリジナルデータに対して自由にメモなどを残すことができる。例えば、外出時にスマートホンで電子書籍を読んだときに付加したメモの内容を、自宅のパソコンで見るといったことが可能となる。
ｃ，付加データを公開することで、他の人のメモなどを参照しながらコンテンツを楽しむことができる。
ｄ，情報端末がスマートホンなどの携帯端末の場合、付加データを自己のメモリに保存する必要がなく、記憶容量の有効活用を図ることができる。
【実施例２】
【００３３】
次に、図６〜図７も参照しながら、本発明の実施例２について説明する。前記実施例では、予め蓄積した付加データをオリジナルデータと同期して出力したが、本実施例は、付加データを生成してオリジナルデータとともに出力するようにしたものである。以下、ニュースを読む，電子書籍を音読するといった音声変換の場合を例として説明する。
【００３４】
図６に示すように、本実施例では、サービス提供サーバ５００に音声変換部５０２が設けられており、これによってテキストデータの音声変換処理が行われるようになっている。一方、情報端末６００のコンテンツ処理アプリ６１０には、データ抽出部６１２の機能が付加されており、これによって音声変換の対象となるデータが抽出されて、サービス提供サーバ５００に送信されるようになっている。なお、音声出力範囲表示データ７００については後述する。
【００３５】
例えば、情報端末６００において、出力部３３０に文字列のコンテンツが表示されているときに、それを音声として出力する場合、会員は、該当する入力を情報端末６００で行う。すると、その旨がサービス提供サーバ５００に通知され、図２(B)に示すような音声出力用のメニューがメニュー画面生成部２２０で生成され、情報端末６００に送信されて出力部３３０で表示される。会員は、メニュー画面から、音声の出力範囲と出力方法を選択する。図示の例では、出力範囲として、コンテンツ全体，表示中のページ，画面上で指定した範囲のいずれかを選択できるようになっている。また、出力方法として、コンテンツの画像とその音声，音声のみを選択できるようになっている。
【００３６】
図７(A)に示すように、会員が音声の出力範囲と出力方法を選択すると（ステップＳ１００）、その旨がデータ抽出部６１２に通知され、データ抽出部６１２は、各データバッファ３２２，３２４を参照し、会員の選択に応じて、音声変換すべきオリジナルデータを抽出する(ステップＳ１０２)。抽出されたオリジナルデータは、送受信部３２０，インターネット１０２，送受信部２３０によってサービス提供サーバ５００の情報管理部２１０に送信される（ステップＳ１０４）。
【００３７】
サービス提供サーバ５００の情報管理部２１０では、音声変換部５０２において、受信したオリジナルデータの音声変換処理を行い、音声データを得る。このとき、必要があれば、オリジナルデータに対する文字認識処理を行うようにする。変換した音声データは、当該コンテンツの付加データとして、前記実施例１と同様に情報端末６００に送信される（ステップＳ１０６）。情報端末６００では、前記実施例１と同様に、出力データ処理部３１２により、音声データが付加データバッファ３２４に格納される。格納後の音声データは、会員による指定方法で、出力部３３０から音声として出力される（ステップＳ１０８）。
【００３８】
コンテンツデータの音声変換は処理量が多く、情報端末側で行うと、一時的に大きな負荷がかかる。しかし、本実施例では、情報端末側では音声変換の対象範囲を特定するのみで、サービス提供サーバ側で文字認識や音声変換の処理が行われるため、高速で精度の高い音声変換を行って、高品質の音声を得ることができる。このように、本実施例によれば、情報端末に負担をかけることなく、オリジナルデータを音声として出力することができるので、画面を見ることが困難な場合、ニュース等を混雑した電車の中で聞く，車の運転中に聞くといったことや、視覚障害者が聞くといった多様な利用が可能となる。また、Webサイトのオリジナルデータの改変も行われず、著作者の権利は保護される。
【実施例３】
【００３９】
次に、前記図６の他に、図７(B)及び図８も参照しながら、本発明の実施例３について説明する。上記実施例２では、利用者が指定した範囲のオリジナルデータを端末側で抽出し、これをサーバ側で音声変換して端末側に返信することとしたが、音声出力可能な範囲を予めオリジナルデータに設定するようにしてもよい。例えば、図８(A)に示すようなニュース画面８００を提供するWebサイトがあり、サイト名称８０１，ヘッドライン８０２，ニュース本文８０４，広告８１０，８１２が表示されているものとする。音読する部分は、例えば、サイト名称８０１，ヘッドライン８０２，ニュース本文８０４であり、広告８１０，８１２は対象外である。そこで、同図(B)に示す音声出力範囲表示データ７００を、同図(A)の画面上に重畳して表示することで、同図(C)のように音声出力範囲を示すようにする。図示の例では、斜線によって音声出力範囲を示しているが、囲み線や背景の着色など、各種の方法で示すようにしてよい。
【００４０】
このような音声出力範囲表示データ７００は、ニュース画面８００に対応する付加データとして、サービス提供サーバ５００の付加データ用データベース２０４に格納される。なお、音声出力範囲表示データ７００は、どのように生成してもよいが、例えばWebサイト毎に所定領域を範囲指定するテンプレートとして用意される。画面上におけるヘッドライン８０２等の位置や、広告８１０等の位置が概ね決まっていることから、適宜のテンプレートを使用することで、サイト名称８０１，ヘッドライン８０２，ニュース本文８０４の位置を把握し、音声出力範囲表示データ７００とすることができる。
【００４１】
次に、図７(B)も参照しながら、本実施例の全体動作を説明する。会員が情報端末６００で○○新聞のニュースサイトへのアクセスを要求したとすると、その旨が入力データ処理部３１４を介してサービス提供サーバ５００に通知される。すると、サービス提供サーバ５００では、情報管理部２１０が管理データ用データベース２０８を参照して、該当するWebサイト１０４を調べ、該当するWebサイト１０４にニュース画面８００（図８(A)参照）の送信を要求する。すると、Webサイト１０４は、該当するニュース画面８００をオリジナルデータとして情報端末３００に送信する。
【００４２】
加えて、サービス提供サーバ５００は、情報管理部２１０によって付加データ用データベース２０４を参照し、前記ニュース画面に対応する音声出力範囲表示データ７００（図８(B)参照）を付加データとして抽出し、情報端末６００に送信する。情報端末６００は、受信したニュースサイトのニュース画面８００をオリジナルデータバッファ３２２に格納し、音声出力範囲表示データ７００を付加データバッファ３２４に格納する。格納された各データは、出力データ処理部３１２によって同期して読み出され、出力部３２０に出力・表示される。これにより、図８(C)に示すような表示が行われる（図７(B)ステップＳ２００）。以上の動作は、オリジナルデータと付加データを合成表示する実施例１と基本的に同様である。
【００４３】
ここで、会員が、クリック・タップなどの適宜の動作を行なって、音声変換を指示すると、データ抽出部６１２は、ニュース画面８００のうちの音声出力範囲表示データ７００によって示された範囲のオリジナルデータを抽出し（ステップＳ２０２）、サービス提供サーバ５００に送信する（ステップＳ２０４）。サービス提供サーバ５００の情報管理部２１０では、音声変換部５０２において、受信したオリジナルデータの音声変換処理を行い、音声データを得る（ステップＳ２０６）。このとき、必要があれば、オリジナルデータに対する文字認識処理を行うようにする。変換した音声データは、当該コンテンツの付加データとして、前記実施例１や２と同様に情報端末６００に送信される。情報端末６００では、前記実施例１と同様に、出力データ処理部３１２により、音声データが付加データバッファ３２４に格納される。格納後の音声データは、出力部３３０から音声として出力される（ステップＳ２０８）。このとき、ニュース画面８００の表示とともに音声出力するか、音声のみを出力するかは、前記実施例と同様に会員が指定できるようにしてよい。
【００４４】
本実施例によっても、音声変換するオリジナルデータの範囲の指定手法は異なるものの、上述した実施例２と同様の効果を得ることができ、オリジナルデータを改変することなく音声変換が行われる。
【００４５】
なお、本発明は、上述した実施例に限定されるものではなく、本発明の要旨を逸脱しない範囲内において種々変更を加えることができる。例えば、以下のものも含まれる。
(1)前記実施例ではサービス提供サーバ２００において、データベースを複数設けたが、一つに集積することを妨げるものではない。
(2)オリジナルデータとしては、電子書籍，映画，写真，絵などの画像として表示されるものの他に、音楽や通話であってもよいし、画像と音声の組み合わせであってもよい。また、付加データとしては、背景画像やＢＧＭを付加するなどの他に、１／ｆのゆらぎを付加する，感想文を書き込む，写真や動画を付加するなど、各種のデータを付加してよい。
(4)前記実施例２では、オリジナルデータを音声変換する場合を例として説明したが、例えば、
ａ，他言語に翻訳する。
ｂ，他言語に翻訳したものを更に音声変換する。
ｃ，音声データを逆に文字変換して画像表示する。
ｄ，映画の字幕を音声変換する。
といった各種の処理を行うようにしてよい。オリジナルデータのみならず、付加データを音声変換等して出力するようにしてもよい。
(5)前記実施例は、インターネットを利用したシステムであるが、各種のネットワークに適用可能である。
【産業上の利用可能性】
【００４６】
本発明によれば、インターネット上で提供されている各種コンテンツに対する付加データを管理する手間が低減され、利便性が向上するので、電子書籍の提供などに有益である。
【符号の説明】
【００４７】
１００：コンテンツ提供システム
１０２：インターネット
１０４：Webサイト
２００：サービス提供サーバ
２０２：コンテンツ用データベース
２０４：付加データ用データベース
２０６：会員データ用データベース
２１０：情報管理部
２２０：メニュー画面生成部
２３０：送受信部
３００：情報端末
３１０：コンテンツ処理アプリ
３１２：出力データ処理部
３１４：入力データ処理部
３２０：送受信部
３２２：オリジナルデータバッファ
３２４：付加データバッファ
３３０：出力部
３３２：入力部
３４０：入出力データバッファ
５００：サービス提供サーバ
５０２：音声変換部
６００：情報端末
６１０：コンテンツ処理アプリ
６１２：データ抽出部
７００：音声出力範囲表示データ
８００：ニュース画面
８０１：サイト名称
８０２：ヘッドライン
８０４：ニュース本文
８１０，８１２：広告
Ｆ１０〜Ｆ２０：付加データ
【図１】
2014126953.tif 000003
【図２】
2014126953.tif 000004
【図３】
2014126953.tif 000005
【図４】
2014126953.tif 000006
【図５】
2014126953.tif 000007
【図６】
2014126953.tif 000008
【図７】
2014126953.tif 000009
【図８】
2014126953.tif 000010